(57)【要約】  個人用情報娯楽製品（１０）において当該製品（１０）のメモリ（５０）に記憶されるデータコンテンツを定期的に更新するための同期化の方法が記載される。更に、例えば、前記方法に従い動作可能である高度な個人用情報娯楽製品などの機器（１０）も開示される。前記方法を実施するように動作可能なシステム及びソフトウェアも開示される。前記方法は、個人用情報娯楽装置（１０）であり、当該装置（１０）のユーザ（２０）にデータコンテンツを提示するように動作可能な個人用情報娯楽装置(１０)におけるデータ同期化の方法であって、（ａ）前記装置（１０）に関して、前記装置が用いられるべき１つ又は複数のコンテクスト（４１０）を決定するように構成するステップと、（ｂ）前記１つ又は複数のコンテクスト（４１０）に応答して前記装置（１０）に記憶されるデータコンテンツを更新するステップと、を含む方法に関する。
2007538329.tif 000002
【特許請求の範囲】
【請求項１】
個人用情報娯楽装置であり、当該装置のユーザにデータコンテンツを提示するように動作可能な個人用情報娯楽装置におけるデータ同期化の方法であって、
（ａ）前記装置に関して、前記装置が用いられるべき１つ又は複数のコンテクストを決定するように構成するステップと、
（ｂ）前記１つ又は複数のコンテクストに応答して前記装置に記憶されるデータコンテンツを更新するステップと、
を含む方法。
【請求項２】
前記更新するステップが、
（ａ）前記装置から離れた１つ又は複数のデータソースからデータコンテンツを前記装置のメモリにダウンロードするステップと、
（ｂ）前記装置の前記メモリに記憶されたデータコンテンツを少なくとも一部削除するステップと、
（ｃ）前記装置の前記メモリから１つ又は複数の離れたデータ記憶部にデータコンテンツをアップロードするステップと、
（ｄ）前記装置の前記メモリに記憶されるデータコンテンツを再構成するステップと、
のうちの少なくとも１つを含む動作を有する、請求項１に記載の方法。
【請求項３】
ステップ（ａ）において、前記装置が、
（ａ）個人情報管理データ（ＰＩＭ）と、
（ｂ）時間的情報と、
（ｃ）装置空間的位置情報と、
（ｄ）前記装置の前記ユーザによって実行される選択のパターンに関する経験則的データと、
のうちの１つまたは複数から前記コンテクストを決定するように動作可能である、請求項１に記載の方法。
【請求項４】
前記１つ又は複数のコンテクストを決定する際に用いる前記情報管理データに、前記ユーザのカレンダーデータを含むステップを更に含む、請求項３に記載の方法。
【請求項５】
前記カレンダーデータになされる時間的及び／又は位置入力から前記１つ又は複数のコンテクストを導出するステップを含む、請求項４に記載の方法。
【請求項６】
前記１つ又は複数のコンテクストが、前記カレンダーデータにおける複数の入力間における推測によって導出される、請求項４に記載の方法。
【請求項７】
前記データコンテンツの項目が、前記１つ又は複数のコンテクストを参照にして関連性の可能性に従い優先付けられ、１つ又は複数のコンテクストによって起動される場合に、斯様な優先付けに依存する順序で前記ユーザに提示される、請求項１に記載の方法。
【請求項８】
ユーザがデータコンテンツの１つ又は複数の項目を見る及び／又は聞く際に中断が発生する場所を、中断が発生した場所から見ること及び／又は聞くことを後々において再開するのを可能にするために記録するステップを更に有する、請求項１に記載の方法。
【請求項９】
前記装置に関して前記１つ又は複数のコンテクストを決定するように構成し、前記１つ又は複数のコンテクストに応答して前記装置の前記データコンテンツを自動的に更新するステップを更に有する、請求項１に記載の方法。
【請求項１０】
前記装置に関して、
（ａ）電子カレンダーと、
（ｂ）住所及び／又は電話番号アーカイブと、
（ｃ）テキストメッセージ、音声対話、及び／又はビデオ対話を支援する通信インターフェイスと、
のうちの少なくとも１つを提供するパーソナルデジタルアシスタント（ＰＤＡ）として機能するように構成するステップを更に有する、請求項１に記載の方法。
【請求項１１】
請求項１に記載の方法に従い、データコンテンツを１つ又は複数の離れたデータサーバに同期するように構成される機器。
【請求項１２】
少なくとも１つの装置及び少なくとも１つのデータサーバであり、それらの間でデータコンテンツの転送を支援するために相互に接続可能な少なくとも１つの装置及び少なくとも１つのデータサーバを含むシステムであって、当該システムが、請求項１に記載の方法に従い機能するように構成されるシステム。
【請求項１３】
請求項１に記載の方法を実行する計算機ハードウェアで実行するソフトウェア。
【発明の詳細な説明】
【技術分野】
【０００１】
本発明は、個人用情報娯楽装置で同期方策を決定し、これにより、データ同期の強化された方法を実現する方法に関し、特に、しかし排他的ではないが、本発明は、該装置のメモリに記憶されるデータコンテンツを周期的に更新する個人用情報娯楽装置での同期化の方法に関する。更に、本発明は、該方法に従い動作することが可能である、例えば高度な個人用情報娯楽製品などの機器にも関する。より更に、本発明は、該方法を実施するように動作可能なシステム及びソフトウェアにも関する。
【背景技術】
【０００２】
近年、ユーザに音声及び／又は視覚的情報を提示し得る個人用娯楽のための多数の電子製品が開発されてきた。例えばＭＰ３オーディオプレーヤなどの製品は、例えば重量、動作電力消費及び／又はサイズなどの１つ又は複数の技術的制限により、制限されたデータ記憶容量を有する。この制限された記憶容量は、例えばラップトップコンピュータなどの個人用計算機（PC）などのよりかさばる計算装置の記憶容量よりも少ない。したがって、斯様な電子個人用娯楽製品のユーザが例えば自身のPCから又は直接インターネットなどの通信ネットワークから前記製品で比較的即時に提示するためのデータコンテンツをダウンロードすること、すなわち前記製品に記憶されるデータが頻繁に更新されることは確立された慣例になっている。斯様な更新は、前記製品のメモリ内容を例えばPCなどのデータベースへ「同期する」こととしても知られる。
【０００３】
上述のデータの同期化は既知であり、最近公開された米国特許出願第2004/0055927号に記載される。この出願において、例えばハンドヘルド計算機、パーソナルデジタルアシスタント（ＰＤＡ）、インターネット利用可能電話、ラップトップ計算機及びデスクトップ計算機などの携帯型装置がビジネスアプリケーションを実行させ計算機システムとデータを同期することを可能にするプラットフォームに依存しないフレームワークが説明されている。前記システムは、任意追加的に、標準的なインターネット接続又は他のネットワーク接続を介して通信するビジネス電子商取引システムである。更に、前記フレームワークは、携帯型装置へのソフトウェアアプリケーションの自動化されたインストール及び／又はインストール解除を可能にする。
【０００４】
発明者は、斯様な既知のデータ同期化が現在実行されている方法が最適でないことを理解していた。携帯型装置のメモリ内容を更新することは、
(i)携帯型装置におけるデータを削除すること、
(ii)PCなどのより大きい容量のデータベースにデータをロードし戻すこと、
(iii)携帯型装置のメモリにデータベースからデータをダウンロードすること、
などの、携帯型装置に記憶されるデータに関する一連の決定を含む。
【０００５】
携帯型装置のユーザは、特定のデータコンテンツの項目が他の種類のデータコンテンツよりも携帯型装置のメモリに長い期間保持されることを望む。したがって、携帯型装置におけるデータを優先付けし分類することは、潜在的に複雑で時間を消費する処理である。例えば、発明者は、ユーザが個人の住所及び電話番号データベースを恒久的に自身の携帯型装置に維持することを望み得る一方で、最新の流行の曲、最新のニュースレポート、及び毎日該携帯型装置にダウンロードされ記憶されるようなものを上書き及び更新することをしばしば望む。
【０００６】
発明者は、固体状態メモリ及びスモールファクタフォームフォーマットの光学（ＳＦＦＯ）データ担体などのメモリ記憶コンポーネントの技術的な進歩に合わせて、例えばメモリ容量が増加するなどの、特に複雑性が将来において増加するにつれ、携帯型装置に関してスマートな同期化の戦略が必要とされることを認識している。
【発明の開示】
【発明が解決しようとする課題】
【０００７】
したがって、本発明の目的は、個人用装置における同期化を決定するより良い方法を提供することである。
【課題を解決するための手段】
【０００８】
本発明の第１態様によると、個人用情報娯楽装置であり、当該装置のユーザにデータコンテンツを提示するように動作可能な個人用情報娯楽装置におけるデータ同期化の方法であって、
（ａ）前記装置に関して、前記装置が用いられるべき１つ又は複数のコンテクストを決定するように構成するステップと、
（ｂ）前記１つ又は複数のコンテクストに応答して前記装置に記憶されるデータコンテンツを更新するステップと、
を含む方法が提供される。
【０００９】
本発明は、コンテクスト情報の使用が、データコンテンツの同期化を、実施しやすいものにすることが可能であるという点で有利である。
【００１０】
好ましくは、前記方法において、前記更新するステップが、
（ａ）前記装置から離れた１つ又は複数のデータソースからデータコンテンツを前記装置のメモリにダウンロードするステップと、
（ｂ）前記装置の前記メモリに記憶されたデータコンテンツを少なくとも一部削除するステップと、
（ｃ）前記装置の前記メモリから１つ又は複数の離れたデータ記憶部にデータコンテンツをアップロードするステップと、
（ｄ）前記装置の前記メモリに記憶されるデータコンテンツを再構成するステップと、
のうちの少なくとも１つを含む動作を有する。斯様な更新の選択肢の範囲を備えることは、前記装置のデータコンテンツが選択的に更新されることを可能にし、これにより、前記装置に繰り返し全てのデータコンテンツをリロードする必要を回避することを可能にする。
【００１１】
好ましくは、当該方法のステップ（ａ）において、前記装置が、
（ａ）個人情報管理データ（ＰＩＭ）と、
（ｂ）時間的情報と、
（ｃ）装置空間的位置情報と、
（ｄ）前記装置の前記ユーザによって実行される選択のパターンに関する経験則的データと、
のうちの１つまたは複数から前記コンテクストを決定するように動作可能である。（ａ）ないし（ｄ）のうちの１つ又は複数の斯様な情報の使用は、前記装置が、どのデータコンテンツがいずれかの特定の位置又は時間の瞬間において前記ユーザに関して前記装置で利用可能であるべきかを選択的に認識することを可能にし、これにより、データ同期化をより効率的にすることが可能である。
【００１２】
更に好ましくは、当該方法は、前記１つ又は複数のコンテクストを決定する際に用いる前記情報管理データに、前記ユーザのカレンダーデータを含むステップを更に含む。カレンダーデータは、潜在的に、前記装置への同期化に関してデータコンテンツの選択を決定するのに前記１つ又は複数のコンテクストを導出するための価値ある情報源であるので、有益なものである。
【００１３】
好ましくは、当該方法は、前記カレンダーデータになされる時間的な及び／又は位置的な入力から前記１つ又は複数のコンテクストを導出するステップを含む。より好ましくは、当該方法において、前記１つ又は複数のコンテクストが、前記カレンダーデータにおける複数の入力間における推測によって導出される。斯様な推測は、ユーザが同期化のためにデータコンテンツを選択する場合に、前記装置の動作を監視する必要を低減する点において有益である。
【００１４】
好ましくは、当該方法において、前記データコンテンツの項目が、前記１つ又は複数のコンテクストを参照にして関連性の可能性に従い優先付けられ、前記１つ又は複数のコンテクストによって起動される場合に、斯様な優先付けに依存する順序で前記ユーザに提示される。斯様な優先付けは、前記装置が、そのメモリが有する処理容量よりも多くのデータを記憶することを必要とされる状況で、そのメモリからどのデータコンテンツの項目を削除すべきかに関する決定を下させることを可能にする。
【００１５】
好ましくは、当該方法は、ユーザがデータコンテンツの１つ又は複数の項目を見る及び／又は聞く際に中断が発生する場所を、中断が発生した場所から見ること及び／又は聞くことを後々において再開するのを可能にするために記録するステップを更に有する。斯様な記録ステップは、前記装置が、本への反復的及び漸進的なアクセスを可能にする紙のしおりを有する本に類似するような方法で実施するのを可能にするのに有益である。
【００１６】
好ましくは、当該方法が、前記装置に関して前記１つ又は複数のコンテクストを決定するように構成し、前記１つ又は複数のコンテクストに応答して前記装置の前記データコンテンツを自動的に更新するステップを更に有する。前記自動的に更新するステップは、前記ユーザが前記装置の同期化により、気を取られている又は遮られる必要を回避する点において有益である。
【００１７】
好ましくは、当該方法は、前記装置に関して、
（ａ）電子カレンダーと、
（ｂ）住所及び／又は電話番号アーカイブと、
（ｃ）テキストメッセージ、音声対話、及び／又はビデオ対話を支援する通信インターフェイスと、
のうちの少なくとも１つを提供するパーソナルデジタルアシスタント（ＰＤＡ）として機能するように構成するステップを更に有する。斯様なＰＤＡ機能は、ＰＤＡの活動が潜在的にデータコンテンツ同期化に関する方策を決定することを支援するので、前記装置が、相乗的な方法で機能するのを可能にする。
【００１８】
本発明の第２の態様によると、本発明の第１の態様に記載の方法に従い、データコンテンツを１つ又は複数の離れたデータサーバに同期するように構成される機器が提供される。
【００１９】
本発明の第３の態様によると、少なくとも１つの装置及び少なくとも１つのデータサーバであり、それらの間でデータコンテンツの転送を支援するために相互に接続可能な少なくとも１つの装置及び少なくとも１つのデータサーバを含むシステムであって、当該システムが、本発明の第１の態様に記載の方法に従い機能するように構成されるシステムが提供される。
【００２０】
本発明の第４の態様によると、本発明の第１の態様に記載の方法を実行する計算機ハードウェアで実行するソフトウェアが提供される。
【００２１】
本発明の特徴は、本発明の範囲から逸脱することなくいかなる組み合わせにおいても組み合わせられ得ることを理解され得る。
【００２２】
本発明の実施例は、例証を目的のみとして、以下の図を参照にして、以下に説明される。
【発明を実施するための最良の形態】
【００２３】
本発明を説明するために、個人用情報／娯楽装置の動作が図１を参照にして説明される。図１において、当該個人用情報／娯楽装置は、１０によって全体的に示される。装置１０は、財布、メガネケース、又は最新のＭＰ３プレーヤなどの方法により、例えばユーザ２０のジャケットのポケットにおいてユーザ２０によって運ばれ得る。装置１０は、画素スクリーンなどの視覚的インターフェイス及び音声インターフェイスのうちの少なくとも１つなどのユーザインターフェイス３０を含む。更に、装置１０は、メモリ５０に、前記ユーザインターフェイス３０に、及び通信インターフェイス６０に接続される計算機ハードウェア４０を含む。通信インターフェイス６０は、起動される場合、装置１０がデータベースと通信することを可能にさせるように動作可能である。前記データベースは、装置１０と直接通信１２０する、通信ネットワーク１１０に含まれるサーバ１００であり得る。代替的に又は追加的に、前記データベースは、個人用計算機（ＰＣ）１３０などのローカル機器であり得、任意追加的に、ＰＣ１３０は、ネットワーク１１０を介してサーバ１００に接続され得る。
【００２４】
動作において、ユーザ２０は、データコンテンツをＰＣ１３０から及び／又はサーバ１００からネットワーク１１０を介してデータコンテンツをダウンロードすることが可能である。更に、ユーザ２０は、メモリ５０に既に記憶されたデータコンテンツを削除することが可能である。より更に、ユーザ２０は、メモリ５０に記憶されたデータコンテンツを上書きすることが可能である。より更に、ユーザ２０は、メモリ５０に記憶されるデータコンテンツをＰＣ１３０へ及び／又はサーバ１００へ転送することが可能である。
【００２５】
サーバ１００は、例えば、最新流行曲又は最近のニュースレポート、天気レポート、列車の時刻表及びバスの時刻表などを配信するインターネットサイトである。同様に、ＰＣ１３０は、ネットワーク１１０からＰＣ１３０で受信される電子メール及び個人連絡住所などの更なる個人情報とともに同様の種類のデータコンテンツを提供することが可能である。
【００２６】
ユーザ２０が装置１０において維持及び更新するデータコンテンツの手動による選択の制御を装置１０によって可能にされるものの、斯様な手動による選択は、装置１０が比較的高度化されて、メモリ５０に例えば１Ｇバイトを超えるメモリ容量の十分な総量を含む場合に扱いにくくなる。更に、インターフェイス３０が比較的制限された視覚的解像度を有する場合であり、例えばスクロールされる手法で見られ得るようなタイトルの長いリストが、直感的にユーザ２０が理解することに関して問題を有し得る場合に、ユーザインターフェイス３０に提示されるタイトルリストからデータコンテンツを分類することは、比較的困難である。
【００２７】
この問題に対処するために、装置１０は、スマート同期化戦略を使用するように構成される。発明者は、ユーザ２０が、データコンテンツを、ユーザ２０が前記データコンテンツを利用したいと思うコンテクストに応答して有益に分類又は選択することを理解している。コンテクストは、物理的位置及びユーザ２０の活動のうちの少なくとも１つと同義語である。コンテクストの例は、
（ａ）鉄道列車における通勤、
（ｂ）大陸間フライトでの航空機による旅行、
（ｃ）休暇中、及び
（ｄ）オフィス又は工場での勤務、
である。
【００２８】
発明者は、ユーザ２０がメモリ５０から選択する可能性が最も高いデータコンテンツが、少なくとも一部はいずれかの所与の時間の瞬間におけるユーザ２０に関する所与のコンテクストによって支配されることを認識しており、例えば、
（１）コンテクストが通勤に対応する場合に、ユーザ２０は、昨晩に記録されたニュースの記事、及びユーザ２０によってまだ見られていないお気に入りのショーを見る及び聞くことを望む可能性が最も高く、
（２）コンテクストが大陸間フライトに対応する場合に、ユーザ２０は、いくつかの長編映画を鑑賞する、及びフライトのルート及び／また地理的地図を見ることを望む可能性が最も高く、
（３）コンテクストが休暇に対応する場合に、ユーザ２０は、ユーザ２０が子供の場合子供向け映画を見ること、及びユーザ２０が親である場合ユーザ２０の子供に娯楽を与えることを望む可能性が最も高く、
（４）前記コンテクストが家族の訪問に対応する場合に、ユーザ２０は、家族の構成員に最新の家庭ムービー及び家族の写真を提示することを望む可能性が最も高い、
などである。
【００２９】
発明者は、更に、装置１０が、データコンテンツを提示するだけでなく、最新のパーソナルデジタルアシスタント（ＰＤＡ）としても相乗的に動作する機器として機能することが可能であることを理解している。斯様なＰＤＡは、パーソナル情報マネージャ（ＰＩＭ）を提供するソフトウェアを実行するように構成される計算機ベースの装置であり、斯様なマネージャは、電子的インタラクティブ日記、住所録、及び「するべきこと」に関する短いメモを記録するノートパッドと同様な方法で機能する。ＰＩＭデータは、したがって、例えば、ユーザ２０の個人的な状況及び／又は活動に関するデータとして規定される。更に、発明者は、斯様なＰＩＭデータは、サーバ１００と及び／又はＰＣ１３０と定期的に接続され、すなわち同期される場合、装置１０におけるデータコンテンツの同期化を自動的に制御するのに有益に用いられ得ることを認識している。特定の関連性を有するＰＩＭデータは、ユーザ２０の所与の活動の性質を表示を提供するだけでなく、前記活動が実行されるべき空間的位置及び前記活動が発生するべき用にスケジュールされる時間も提供するカレンダー情報である。斯様なカレンダーデータの入力は、通常、ユーザ２０にとって直感的であり、ユーザインターフェイス３０を介して及びＰＣ１３０を介してのいずれかにより後々のダウンロードすなわち同期化のために装置１０へ入力され得る。
【００３０】
装置１０の計算機ハードウェア４０で実行されるソフトウェアは、図２に示される方法で、メモリ５０に同期化するためにサーバ１００及び／又はＰＣ１３０に記憶されるデータコンテンツ４００をＰＩＭデータ４１０に関連付けることが可能であり、メモリ５０における記憶された同期化データ４５０を生じさせる。代わりとしては、当該ソフトウェアは、装置１０、ＰＣ１３０及びサーバ１００のうちの少なくとも１つで実行するように構成され得る。例えば関連付けステップ４６０などの斯様な関連付けは、ユーザ２０によって規定され得るか、データコンテンツ４００を発生することに責任がある関係者によって事前に規定されるか、又はユーザ２０によって実行される以前の選択に基づき装置１０によって経験則的方法などで発生され得る。例えば、データコンテンツ４００の特定の項目は、１つより多いコンテクストと連携して起動され得る。更に、データコンテンツ４００の各項目は、データコンテンツ４００がメモリ５０に記憶されるべき持続時間、及びデータコンテンツの選択がユーザインターフェイス３０でユーザ２０に提示される又はメモリ５０から削除される順序に関する優先付けレートなどの関連付けされる属性とともに記憶され得る。関連付け４６０は、したがって、数式１：
A=F(t,l,d,a,p,P)
によって規定され得、ここで、
F＝関連付けＡを規定する関数、
t＝コンテクストの時間、
l＝コンテクストの位置、
d＝データコンテンツがメモリに記憶されるべき持続時間、
p＝所与のデータコンテンツが所与のコンテクストに関して必要とされる可能性、
P＝ユーザ２０への提示に関する優先付けレート、
である。
【００３１】
装置１０は、例えば関連付け４６０を間接的に示す場合、ソフトウェアの高度化により、計算機ハードウェア４０で実行することも可能である。例えば、ミーティング及び約束並びにそれらの関連付けられた空間的位置に関するＰＩＭデータ４１０に含まれる位置情報は、前記ミーティング及び約束へ／からの移動時間を示すのに用いられ得る。例えば、ＰＩＭデータ４１０が、カレンダー情報に対応し、前記カレンダーがメモリ５０の２つの異なる部分において２つの連続する約束の入力を有する場合、装置１０のハードウェア４０で実行するソフトウェアは、前記２つの約束間における特定の移動時間例えば通勤時間があることを認識し、最も適した同期化戦略を決定するのにこの認識された情報を用い得る。
【００３２】
装置１０は、好ましくは、ＰＣ１３０及び／又は通信ネットワーク１１０へ接続するのに無線リンクを用いることが可能である。好ましくは、ハードウェア４０で実行するソフトウェアは、ユーザ２０が介在する必要なく装置１０が無線によって自動的にデータコンテンツを同期化するように構成される。更に、装置１０は、任意追加的に、例えば、ユーザ２０が、ユーザ２０が見たかったであろうデータコンテンツの所与の好ましい項目を装置１０が欠いていることを発見すると、ユーザ２０によって指示される要求に応じて同期化するように構成可能である。斯様な要求に応じた同期化は、好ましくは、ユーザ２０がユーザインターフェイス３０に指示又は命令を入力することによって起動される。
【００３３】
装置１０のハードウェア４０で実行するソフトウェアは、ユーザ２０がそれぞれの日の所与の時間に又は所与の位置で特定の種類のデータコンテンツを見ることを望む可能性を決定するために、ユーザ２０によって行われる装置１０の使用のログを取るようにも動作可能である。斯様な時間的なログは、上述のように装置１０に関するデータ同期化戦略を決定するために経験則的方法で用いられ得る。
【００３４】
有益的には、ハードウェア４０で実行するソフトウェアは、所与のデータコンテンツにおいて、ユーザ２０が後の機会において前記所与のコンテンツを見ることを再開させるのを可能にするようにユーザ２０が見た位置の記録をするようにも動作可能であり、装置１０の斯様な動作は、ユーザ２０が紙表紙の本の中にその本における一節を読むのを中止した箇所にしおりを挿入して、これによりユーザ２０が前記しおりが当該本に挿入された位置から読むことを後で再開することが可能であることと類似する。
【００３５】
ユーザインターフェイス３０は、好ましくは、ユーザ２０に画像を提示するスクリーンを提供するために、フラットパネル画素の液晶装置（ＬＣＤ）技術を用いて実施される。代わりとして又は追加的には、インターフェイス３０は、コントラスト及び／又は色が印加される電界に応答して変調され得る「E-ink」として既知である電子インクを用いて実施され、斯様な電子インクディスプレイは、潜在的に、その比較的低い費用とほぼ無視できる動作電力消費のおかげにより有益である。より更なる選択肢として、当該スクリーンは、例えば「polyLED」技術又は「ＯＬＥＤ」技術として現在知られているポリマーＬＥＤ技術などの発光ダイオード技術を用いて実施され得る。斯様なＯＬＥＤは、ナノ構造ポリマー膜から作製され、発光するように動作可能なスクリーンを形成するように配列では位置されることが可能であり、これらのスクリーンは、潜在的に、従来の液晶ディスプレイよりも明るく、小型で、エネルギー効率が良い。
【００３６】
インターフェイス３０は、好ましくは、音声発生用の音響トランデューサも含み、当該トランデューサは、好ましくは、フラットパネルスピーカ、平面圧電素子、及びヘッドフォンのうちの１つ又は複数として実施される。
【００３７】
データ同期化戦略を支援するために、装置１０は、その空間的位置を決定し、斯様な位置情報を、
（ａ）ＰＣ１３０及び／又はサーバ１００から同期されるべきデータコンテンツの選択を制御するモードと、
（ｂ）インターフェイス３０に提示するためにユーザ２０による選択用にメモリ５０からリカバーされるデータコンテンツの選択を制御するモードと、
のうちの１つ又は複数のモードで用いるためにＧＰＳを具備されることが好ましい。
【００３８】
したがって、装置１０の空間的位置の決定は、コンテクストを決定するのに用いられるのが有益である。
【００３９】
装置１０は、例えば、ＰＩＭデータ、特にカレンダーデータにおいて理解及び動作するのに用いるために、好ましくは、内部時間規準を具備されるか、外部発生時間基準を受信するように構成される。代わりとして、又は追加的には、前記時間規準は、遠隔無線時間クロックから及び／又はネットワーク１１０を介するなどの、通信インターフェイス６０を介して無線により装置１０へ入力され得る。
【００４０】
装置１０は、好ましくは、本発明による充実により、パーソナルデジタルアシスタント（ＰＤＡ）に類似する方法で実施される。
【００４１】
添付の請求項において、括弧書き内に含まれる参照符号及び他の記号は、当該請求項の理解を支援するために含まれており、いかなる意味でも当該請求項の範囲を制限するようには意図されていない。
【００４２】
上記の本発明の実施例が添付の請求項によって規定される本発明の範囲から逸脱することなく修正され得ることを理解され得る。
「有する」、「含む」、「組み込む」、「包含する」、「有する」及び単数形などの表現は、詳細な説明及びそれに関連する請求項を解釈する場合に非制限的な方法で解釈されるべきであり、すなわち存在するように明確に規定されていない他の項目又はコンポーネントを考慮するように解釈されるべきである。単数形に対する参照符号は、複数形に対する参照符号であるように解釈されるべきでもあり、逆も然りである。
【図面の簡単な説明】
【００４３】
【図１】図１は、個人用計算機及びネットワークを介したサーバと通信して接続される個人用情報娯楽装置の概略図である。
【図２】図２は、図１の装置におけるデータコンテンツを同期する戦略を導くのに用いる個人情報（ＰＩＭ）とデータコンテンツとの間でなされる関連付けの概略図である。
【図１】
2007538329.tif 000003
【図２】
2007538329.tif 000004
【国際調査報告】
2007538329.tif 000005
2007538329.tif 000006
2007538329.tif 000007